(57)【要約】【課題】災害発生に応じてＤＴＭＦ信号およびＥＷＳ信号の何れをも取り扱うことができる、緊急放送の送信装置および受信装置を含むＦＭ緊急放送の送受信システムを提供すること。【解決手段】災害の発生により、緊急放送であることを示す信号としてのＤＴＭＦ信号およびＥＷＳ信号の少なくとも一方、および緊急放送メッセージをＦＭ放送電波として送出する送信手段と、前記ＦＭ放送電波を常時受信して前記ＤＴＭＦ信号および前記ＥＷＳ信号の少なくとも一方が含まれているとき、前記緊急放送メッセージを大音量で発音出力する受信手段とを含む緊急放送の送受信システム。【選択図】図１
2009232247.tif 000002
【特許請求の範囲】
【請求項１】
災害の発生により、緊急放送であることを示す信号としてのＤＴＭＦ信号およびＥＷＳ信号の少なくとも一方、および緊急放送メッセージをＦＭ放送電波として送出する送信手段と、
前記ＦＭ放送電波を常時受信して前記ＤＴＭＦ信号および前記ＥＷＳ信号の少なくとも一方が含まれているとき、前記緊急放送メッセージを大音量で発音出力する受信手段と
を含む緊急放送の送受信システム。
【請求項２】
災害の発生により、緊急放送であることを示す信号としてのＤＴＭＦ信号およびＥＷＳ信号の少なくとも一方、および緊急放送メッセージが含まれたＦＭ放送電波を送信するＦＭ緊急放送用送信装置。
【請求項３】
ＦＭ信号を常時受信する受信回路、および前記受信回路の出力を増幅して音声出力する増幅回路を有するＦＭ受信手段と、
前記受信回路が受信した信号に、緊急放送であることを示す信号としてのＤＴＭＦ信号およびＥＷＳ信号の少なくとも一方が含まれているとき出力を生じる判定回路と、
前記判定回路の出力を受けるとオンになり、前記増幅回路の電源をオンにするスイッチと、
前記判定回路の出力を受けると前記増幅回路の増幅度を大きくする音量調整手段と
をそなえたＦＭ緊急放送受信装置。
【発明の詳細な説明】
【技術分野】
【０００１】
本発明は、災害発生時に行われる緊急放送を送受信する送受信システムに係わり、とくに緊急放送の開始および終了を報知する信号に応じて緊急放送を送信する装置および受信する装置を含んだシステムに関する。
【背景技術】
【０００２】
災害発生時には、種々の情報伝達媒体のうちでラジオ放送が取分け有効なものとして認識されている。そして、ラジオ放送には、広域放送の外に、限られた地域を対象とするコミュニティ放送などの局地的放送があり、広狭様々な情報伝達を行うことができる。
【０００３】
とくに、限られた地域を対象とするコミュニティ放送局を利用した緊急放送システムとして、例えば特許文献１および同２に示すようなものが提供されている。これは、所定地域に対してコミュニティ放送局からＤＴＭＦ（Dual Tone Multi-Frequency）信号を発信することにより、災害時の緊急放送を行うためのものである。
【特許文献１】特開2007-194991号公報
【特許文献２】実用新案登録第3118188号公報
【発明の開示】
【発明が解決しようとする課題】
【０００４】
一方、災害時の緊急放送としては、電波法所定のＥＷＳ（Emergency Warning System）があり、これは広域放送によりＥＷＳ信号とともに緊急メッセージが放送されるものである。
【０００５】
そして、災害には、大は地震、津波、台風等から、規模的にはより小さい竜巻、火災等と、種類および規模の大小につき様々なものがあり、これらに万遍なく適切に対応して緊急告知ができるように、放送システム作りをしておく必要がある。
【０００６】
本発明は上述の点を考慮してなされたもので、災害発生に応じてＤＴＭＦ信号およびＥＷＳ信号の何れをも取り扱うことができる、緊急放送の送信装置および受信装置を含むＦＭ緊急放送の送受信システムを提供することを目的とする。
【課題を解決するための手段】
【０００７】
上記目的達成のため、本願では、次の発明を提供する。
【０００８】
第１の発明は、
災害の発生により、緊急放送であることを示す信号としてのＤＴＭＦ信号およびＥＷＳ信号の少なくとも一方、および緊急放送メッセージをＦＭ放送電波として送出する送信手段と、
前記ＦＭ放送電波を常時受信して前記ＤＴＭＦ信号および前記ＥＷＳ信号の少なくとも一方が含まれているとき、前記緊急放送メッセージを大音量で発音出力する受信手段と
を含む緊急放送の送受信システム、である。
【０００９】
第２の発明は、
災害の発生により、緊急放送であることを示す信号としてのＤＴＭＦ信号およびＥＷＳ信号の少なくとも一方、および緊急放送メッセージが含まれたＦＭ放送電波を送信するＦＭ緊急放送用送信装置、である。
【００１０】
第３の発明は、
ＦＭ信号を常時受信する受信回路、および前記受信回路の出力を増幅して音声出力する増幅回路を有するＦＭ受信手段と、
前記受信回路が受信した信号に、緊急放送であることを示す信号としてのＤＴＭＦ信号およびＥＷＳ信号の少なくとも一方が含まれていることを判定する判定回路と、
前記判定回路の出力を受けるとオンになり、前記増幅回路の電源をオンにするスイッチと、
前記判定回路の出力を受けると前記増幅回路の増幅度を大きくする音量調整手段と
をそなえたＦＭ緊急放送受信装置、である。
【発明の効果】
【００１１】
本発明は上述のように、ＤＴＭＦ信号およびＥＷＳ信号の何れにも対応するため、広汎な種類、規模の災害に基く緊急放送を送信すること、およびそれを確実に受信することができる。
【発明を実施するための最良の形態】
【００１２】
以下、添付図面を参照して本発明の実施の形態を説明する。
【実施例１】
【００１３】
図１は、本発明に係る緊急放送システムで用いるＤＴＭＦ信号およびＥＷＳ信号の説明図である。これら両信号は、災害発生時に緊急放送の開始および終了を示すために用いられるものであり、放送開始を示す起動信号と、放送終了時を示す停止信号とを送信し、起動信号と終了信号との間の時間に緊急放送メッセージがアナウンスされる。放送は、コミュニティＦＭ放送局を含む地域放送局、およびより広域を対象とする放送局により送信される。
【００１４】
この図１では、ＤＴＭＦ信号およびＥＷＳ信号が同時に送信されているものとして描いているが、これら両信号は、互いの送信順序が定められている訳ではなく、一方が他方に先行することもある。
【００１５】
そして、ＤＴＭＦ信号にせよ、ＥＷＳ信号にせよ、その信号によって緊急放送が開始され、続いて緊急放送メッセージがアナウンスされることを予告し、緊急放送メッセージのアナウンスが終わると緊急放送が終了したことを告知する役割を持つ。
【００１６】
したがって、送信側では、受信側が緊急放送の受信動作に確実に移行できるように、ＤＴＭＦ信号またはＥＷＳ信号と緊急放送メッセージとを組み合わせた放送電波の送出を行う必要がある。
【００１７】
他方、受信側では、ＤＴＭＦ信号およびＥＷＳ信号のうち何れか先行する信号を受け取ったら、緊急放送の受信動作を行う態勢をとる。緊急放送の受信動作とは、通常放送の受信時よりも大音量で受信することである。
【００１８】
いま、ある放送局から通常のＦＭ放送が行われているとする。各家庭等にあるＦＭ受信機は、当該通常放送を受信していることもあるし、受信していないこともある。
【００１９】
そして、災害発生から間もない時点ｔ１１になって起動信号を受信し始めると、時点ｔ１２までの間に起動信号の判定を行い、起動信号であることが確認できたら緊急放送の受信を始める。
【００２０】
つまり、起動していなければ、電源スイッチがオンになるとともに、音量調整回路が大音量にする。既に通常放送を受信していた状態であれば、音量を緊急放送受信用に大きくする。
【００２１】
そして、時点ｔ２１まで緊急放送メッセージを大音量状態で受信し続ける。次いで時点ｔ２１で停止信号を受信すると、時点ｔ２２まで停止信号であることの判定を行った上で、時点ｔ２２から通常放送の受信状態に戻るか、受信そのものを終了する。
【００２２】
図２は、図１のタイミングチャートにより説明した動作を行う受信機の回路構成を示したものである。この回路は、アンテナ１で受信した信号をＦＭ受信回路２に与えて検波し、得られた検波信号をＤＴＭＦ／ＥＷＳ信号判定回路３およびオーディオ増幅回路４に与える。
【００２３】
ＦＭ受信回路２およびＤＴＭＦ／ＥＷＳ信号判定回路３は、電源スイッチ９がオフであっても動作する常時動作型である。オーディオ増幅回路４には、音量調整回路５およびスピーカ６が接続されており、調整された音量の発音出力を生じる。
【００２４】
ＤＴＭＦ／ＥＷＳ信号判定回路３は、ＦＭ受信回路２から検波信号を受けるとＤＴＭＦ信号、ＥＷＳ信号の何れかまたは双方が含まれているか否かを判定し、含まれていれば判定信号を音量調整回路５、電源スイッチ９に与える。電源スイッチ９は、電池７を持った電源回路８に接続されている。
【００２５】
これにより、ＤＴＭＦ／ＥＷＳ信号判定回路３から判定信号が出力されると、ＦＭ受信機全体の電源が入って大音量で発音出力する状態となり、次いで判定信号が終了すると、元の状態、つまり停止状態または通常放送の受信状態に戻る。
【００２６】
このように、ＤＴＭＦ信号およびＥＷＳ信号の何れか一方であっても両方であっても、これらの信号に基き緊急放送を受信することができる。
【００２７】
図３は、本発明に係るＦＭ送信装置の一実施形態を示すブロック線図である。この装置は、例えば地方自治体の防災対策室に設置された防災対策室装置１０と、この防災対策室１０からの緊急放送信号に基づきＦＭ放送を送信する送信装置２０とを有する。
【００２８】
防災対策室装置１０には、緊急放送を行う際に投入されるスイッチＳＷ、およびマイクロフォンＭＩＣが設けられている。そして、この防災対策室装置１０は、電話回線等の回線を介して送信装置２０に接続されている。
【００２９】
送信装置２０には、スイッチＳＷの投入によりＤＴＭＦ信号またはＥＷＳ信号を形成する信号発生器２１、この信号発生器２１からのＤＴＭＦ信号またはＥＷＳ信号とマイクロフォンＭＩＣによる音声信号とを混合した信号を形成するミキサ２２、このミキサの出力をＦＭ電波として送出する送信機２３および送信アンテナ２４が設けられている。
【００３０】
そして、防災対策室装置１０および送信装置２０は、緊急放送用設備であるから、電源は停電対策が施されたものとする。
【図面の簡単な説明】
【００３１】
【図１】ＤＴＭＦ信号およびＥＷＳ信号の説明図。
【図２】本発明の一実施形態における受信装置の構成を示す説明図。
【図３】本発明の一実施形態における送信装置の構成を示す説明図。
【符号の説明】
【００３２】
１  アンテナ、２  ＦＭ受信回路、３  ＤＴＭＦ／ＥＷＳ信号判定回路、
４  オーディオ増幅回路、５  音量調整回路、６  スピーカ、７  電池、
８  電源回路、９  電源スイッチ、１０  防災対策室装置、２０  送信装置、
２１  トーン信号発生装置、２２  ミキサ、２３  送信機、
２４  電波送信用アンテナ装置。
【図１】
2009232247.tif 000003
【図２】
2009232247.tif 000004
【図３】
2009232247.tif 000005